(57)【要約】      （修正有）【課題】被包装物を安定して保持し、衝撃を緩和して被包装物の損傷を防止し、開梱時に被包装物の全面が見えるようにし、また、形状を簡素化して簡単にセットできる被包装物の保持具を提供する。【解決手段】保持具３は基板部材１１と透明部材１２とからなり、基板部材１１は一つの平行する側縁に一側折曲げ部１３・１４を備え、他の平行する側縁に他側折曲げ部１６を備える。さらに、透明部材１２は一つの平行する側縁を一側折曲げ部１３・１４に固定し、透明部材１２の他の平行する側縁の隙間１９・２０から被包装物２を挿入して基板部材１１と透明部材１２との間に収納し、一側折曲げ部１３・１４および他側折曲げ部１６を折曲げた状態で包装箱１に入れて一側折曲げ部１３・１４および他側折曲げ部１６を包装箱１の内面に当接させ、基板部材１１と透明部材１２との間に保持した被包装物２が動かないように保持する。【選択図】図２
0003167052.tif 000002
【実用新案登録請求の範囲】
【請求項１】
包装箱で梱包した被包装物を保持する被包装物の保持具において、前記保持具は前記被包装物を載せる略四角板形状の基板部材と前記基板部材の一側面に配設されて前記被包装物を押さえる略四角箔形状の透明部材とからなり、前記基板部材は一つの平行する側縁に一側折曲げ部を備えるとともに他の平行する側縁に他側折曲げ部を備え、前記透明部材は一つの平行する側縁を前記一側折曲げ部および他側折曲げ部のいずれか一方に固定し、前記透明部材の他の平行する側縁の隙間から前記被包装物を挿入して前記基板部材と透明部材との間に収納し、前記一側折曲げ部および他側折曲げ部を折曲げた状態で前記包装箱に入れて前記一側折曲げ部および他側折曲げ部を前記包装箱の内面に当接させ、前記基板部材と透明部材との間に保持した被包装物が動かないように保持することを特徴とする被包装物の保持具。
【請求項２】
前記一側折曲げ部および他側折曲げ部は、前記透明部材が配設された前記基板部材の一側面に対して反対の他側面側に折曲げることを特徴とする請求項１に記載の被包装物の保持具。
【請求項３】
前記一側折曲げ部および他側折曲げ部は、前記透明部材の一つの平行する側縁が固定されたいずれか一方を前記基板部材の一側面に対して反対の他側面側に折曲げ、前記透明部材の他の対向する側縁が固定されていない他方を前記基板部材の一側面側に折曲げることを特徴とする請求項１に記載の被包装物の保持具。
【考案の詳細な説明】
【技術分野】
【０００１】
この考案は被包装物の保持具に係り、特に、包装箱内に梱包された被包装物が動かないように安定して保持することができる被包装物の保持具に関する。
【背景技術】
【０００２】
例えば、ＣＤやＤＶＤなどの比較的小さな商品を被包装物として、これら被包装物を梱包する場合には、包装箱内で被梱包物が動いて損傷することを防止するために梱包材を使用している。従来の梱包材には、インシュレーション・ボードを使用して断面Ｌ字状又はコの字状の板状に成形し、被梱包物の縁部や隅部等を保持するように構成した梱包材であって、この梱包材は被梱包物の上面又は下面を覆う部分の隅部を４５度にカットした形状にすることで、コーナを完全に覆うことができ、使用後の焼却時に有毒ガス等の発生防止を図ったものがある。（特許文献１）
【先行技術文献】
【特許文献】
【０００３】
【特許文献１】実開平５−５４３４１号公報
【考案の概要】
【考案が解決しようとする課題】
【０００４】
ところが、前記特許文献１の梱包材による梱包は、被梱包物の縁部や隅部を板紙状の梱包材で覆っているだけなので、包装箱内にセットすると、被梱包物は薄い梱包材を挟んで包装箱の内面に接することになる。
【０００５】
よって、前記特許文献１の梱包材による梱包では、十分な緩衝性を持たせて被包装物を梱包することができないため、包装箱内で安定して被包装物を保持することができず、外部からの衝撃を緩和することができない問題がある。また、前記特許文献１の梱包材による梱包では、被梱包物の縁部や隅部を板紙状の梱包材で覆っているので、被包装物が梱包材で部分的に覆われてしまい、包装箱を開けたときに梱包を解いた者に被梱包物の全面を見せることができない問題がある。また、前記特許文献１の板紙状の梱包材は、内部に緩衝用の空間ができるように折り畳んで緩衝性を持たせようとすると、形状が複雑になるとともに包装箱内にセットするのに手間がかかる問題がある。
【０００６】
この考案は、包装箱内に梱包された被包装物を安定して保持することができ、外部からの衝撃を緩和して被包装物の損傷を防止することができ、包装箱の開梱時に被包装物の全面が見えるようにすることができ、また、形状を簡素化して簡単にセットすることができるようにすることを目的とする。
【課題を解決するための手段】
【０００７】
この考案は、包装箱で梱包した被包装物を保持する被包装物の保持具において、前記保持具は前記被包装物を載せる略四角板形状の基板部材と前記基板部材の一側面に配設されて前記被包装物を押さえる略四角箔形状の透明部材とからなり、前記基板部材は一つの平行する側縁に一側折曲げ部を備えるとともに他の平行する側縁に他側折曲げ部を備え、前記透明部材は一つの平行する側縁を前記一側折曲げ部および他側折曲げ部のいずれか一方に固定し、前記透明部材の他の平行する側縁の隙間から前記被包装物を挿入して前記基板部材と透明部材との間に収納し、前記一側折曲げ部および他側折曲げ部を折曲げた状態で前記包装箱に入れて前記一側折曲げ部および他側折曲げ部を前記包装箱の内面に当接させ、前記基板部材と透明部材との間に保持した被包装物が動かないように保持することを特徴とする。
【考案の効果】
【０００８】
この考案の被包装物の保持具は、透明部材の固定されない他の平行する側縁の隙間から被包装物を挿入基板部材と透明部材との間に収納し、折曲げた一側折曲げ部および他側折曲げ部を包装箱の内面に当接させ、基板部材と透明部材との間に保持した被包装物が動かないように保持しているので、包装箱内に梱包された被包装物を安定して保持することができ、外部からの衝撃を緩和して被包装物の損傷を防止することができ、包装箱の開梱時に被包装物の全面が見えるように保持することができる。また、保持具は、基板部材と透明部材との間に被包装物を収納して一側折曲げ部および他側折曲げ部を折り曲げる構造なので、形状を簡素化することができ、包装箱内に簡単にセットすることができる。
【図面の簡単な説明】
【０００９】
【図１】図１は実施例１の保持具の展開図である。（実施例１）
【図２】図２は被包装物を保持した保持具を包装箱に入れる状態の斜視図である。（実施例１）
【図３】図３は実施例１の変形例を示す保持具の展開図である。（変形例）
【図４】図４は被包装物を保持した保持具を包装箱に入れる状態の斜視図である。（変形例）
【図５】図５は実施例２の保持具の展開図である。（実施例２）
【図６】図６は被包装物を保持した保持具を包装箱に入れる状態の斜視図である。（実施例２）
【図７】図７は実施例２の変形例を示す保持具の展開図である。（変形例）
【図８】図８は被包装物を保持した保持具を包装箱に入れる状態の斜視図である。（変形例）
【図９】図９は実施例３の保持具の展開図である。（実施例３）
【図１０】図１０は被包装物を保持した保持具を包装箱に入れる状態の斜視図である。（実施例３）
【考案を実施するための形態】
【００１０】
以下図面に基づいて、この考案の実施例を詳細た説明する。
【実施例１】
【００１１】
図１・図２は、この考案の実施例１を示すものである。図２において、１は包装箱、２は被包装物、３は保持具である。前記包装箱１は、略長四角板形状の底部４と上部５とを有し、底部４と上部５との一つの側縁どうしを略細長四角板形状の連結部６で連結している。底部４は、残りの３つの側縁をコ字状の底部側周壁７で囲んでいる。上部５は、残りの３つの側縁をコ字状の上部側周壁８で囲んでいる。底部側周壁７は、上部側周壁８が被さるように、上部側周壁８よりもわずかに小さく形成されている。連結部６の長手方向両端と底部側周壁７および上部側周壁８の各端とは、連絡部９・１０で連絡されている。
【００１２】
前記被包装物２は、例えばＣＤやＤＶＤなどの比較的小さな商品であり、略四角厚板形状を有している。被包装物２を保持する前記保持具３は、図１に示すように、被包装物２を載せる基板部材１１と、被包装物２を押さえる透明部材１２とからなる。基板部材１１は、包装箱１の底部４と略同形で二つの平行する側縁を有する略長四角板形状に形成される。透明部材１２は、基板部材１１よりも若干長い二つの平行する側縁を有する略長四角箔形状に形成され、基板部材１１の一側面に配設される。
【００１３】
前記基板部材１１は、一つの平行する側縁に一側折曲げ部１３・１４を備えるとともに、他の平行する側縁に他側折曲げ部１５・１６を備えている。一側折曲げ部１３・１４の高さＨ１および他側折曲げ部１５・１６の幅方向の高さＨ２は、包装箱１内に被包装物２が保持された保持具３を収容するために、図２に示すように、それぞれ底部側周壁７の高さＨ３から被包装物２の高さＨ４を引いた高さ（Ｈ１＝Ｈ２＝（Ｈ３−Ｈ４））とする。
【００１４】
前記透明部材１２は、一つの平行する側縁を基板部材１１の一側折曲げ部１３・１４および他側折曲げ部１５・１６のいずれか一方に固定している。実施例１においては、透明部材１２の一つの平行する側縁を、基板部材１１の一側折曲げ部１３・１４の固定部１７・１８に接着剤により固定している。透明部材１２は、一つの平行する側縁を基板部材１１の一側折曲げ部１３・１４に固定することで、他の平行する側縁に隙間１９・２０を形成し、基板部材１１と透明部材１２との間に収納部２１を形成している。
【００１５】
保持具３は、図２に示すように、透明部材１２の一つの平行する側縁の隙間１９・２０から被包装物２を挿入して基板部材１１と透明部材１２との間の収納部２１に収納し、一側折曲げ部１３・１４および他側折曲げ部１５・１６を透明部材１２が配設された一側面に対して反対の他側面側に立ち下がるように折曲げる。
【００１６】
保持具３は、一側折曲げ部１３・１４および他側折曲げ部１５・１６を折曲げた状態で包装箱１に入れて、底部４に上部５を被せて閉じると、一側折曲げ部１３・１４および他側折曲げ部１５・１６の各下端が包装箱１の底部４の内面に当接する。また、保持具３に保持された被包装物２の上面は、透明部材１２を介して包装箱１の上部５の内面に当接する。これにより、保持具３は、包装箱１内で動きを阻止され、基板部材１１と透明部材１２との間に保持した被包装物２が動かないように保持する。
【００１７】
このように、被包装物２の保持具３は、透明部材１２の固定されない他の平行する側縁の隙間１９・２０から被包装物２を挿入して基板部材１１と透明部材１２との間に収納し、折曲げた一側折曲げ部１３・１４および他側折曲げ部１５・１６を包装箱１の内面に当接させ、基板部材１１と透明部材１２との間に保持した被包装物２が動かないように保持しているので、包装箱１内に梱包された被包装物２を安定して保持することができ、外部からの衝撃を緩和して被包装物２の損傷を防止することができ、包装箱１の開梱時に被包装物２の全面が見えるように保持することができる。また、保持具３は、基板部材１１と透明部材１２との間に被包装物２を収納して一側折曲げ部１３・１４および他側折曲げ部１５・１６を折り曲げる構造なので、形状を簡素化することができ、包装箱１内に簡単にセットすることができる。
【００１８】
図３・図４は、実施例１の変形例を示すものである。変形例の保持具３は、図３に示すように、透明部材１２の他の平行する側縁を基板部材１１の他の平行する側縁よりも若干長い略長四角箔形状に形成して基板部材１１の一側面に配設し、透明部材１２の他の平行する側縁を基板部材１１の他側折曲げ部１５・１６の固定部２２・２３に接着剤により固定している。透明部材１２は、他の平行する側縁を基板部材１１の他側折曲げ部１５・１６に固定することで、一つの平行する側縁に隙間２４・２５を形成し、基板部材１１と透明部材１２との間に収納部２１を形成している。
【００１９】
この保持具３は、図４に示すように、透明部材１２の他の平行する側縁の隙間２４・２５から被包装物２を挿入して基板部材１１と透明部材１２との間の収納部２１に収納し、一側折曲げ部１３・１４および他側折曲げ部１５・１６を透明部材１２が配設された一側面に対して反対の他側面側に折曲げる。保持具３は、この状態で包装箱１に入れて底部４に上部５を被せて閉じることで、包装箱１内で動きを阻止され、基板部材１１と透明部材１２との間に保持した被包装物２が動かないように保持することができ、また、形状を簡素化することができ、包装箱２内に簡単にセットすることができる。
【実施例２】
【００２０】
図５・図６は、実施例２を示すものである。図６において、１０１は包装箱、１０２は被包装物、１０３は保持具である。前記包装箱１０１は、略長四角板形状で平行する底部１０４と上部１０５とを有し、底部１０４と上部１０５との互いに平行する一つの側縁どうしを略細長四角板形状の一側部１０６と他側部１０７とでそれぞれ連結して四角筒形状に形成している。上部１０５には、他の平行する側縁に蓋部１０８・１０９をそれぞれ形成するとともに、中央に開口部１１０を形成して内面に透明部材１１１を固定している。上部１０５に形成した蓋部１０８・１０９は、底部１０４の他の平行する側縁の内側に差し込まれて閉じられる。
【００２１】
包装箱１０１は、一側部１０６の上端に上部１０５と同形状の開閉部１１２を連設し、開閉部１１２の先端に係止片１１３を突設している。また、包装箱１０１は、上部１０５の他側部１０７と連結する部分に前記係止片１１３を挿入して係止する係止溝１１４を設けている。
【００２２】
この包装箱１０１に梱包する略四角厚板形状の被包装物１０２を保持する保持具１０３は、図５に示すように、被包装物１０２を載せる基板部材１１５と、被包装物１０２を押さえる透明部材１１６とからなる。基板部材１１５は、包装箱１０１の底部１０４と略同形で二つの平行する側縁を有する略長四角板形状に形成される。透明部材１１６は、基板部材１１５よりも若干長い二つの平行する側縁を有する略長四角箔形状に形成され、基板部材１１５の一側面に配設される。
【００２３】
前記基板部材１１５は、一つの平行する側縁に一側折曲げ部１１７・１１８を備えるとともに、他の平行する側縁に他側折曲げ部１１９・１２０を備えている。他側折曲げ部１１９・１２０の高さＨ１は、包装箱１０１内に被包装物１０２が保持された保持具１０３を収容するために、図６に示すように、一側部１０６・他側部１０７の高さＨ２から一側折曲げ部１１７・１１８の折曲げた高さＨ３を引いた高さ（Ｈ１＝Ｈ２−Ｈ３）とする。
【００２４】
前記透明部材１１６は、一つの平行する側縁を基板部材１１５の一側折曲げ部１１７・１１８および他側折曲げ部１１９・１２０のいずれか一方に固定している。実施例２においては、透明部材１１６の一つの平行する側縁を、基板部材１１５の一側折曲げ部１１７・１１８の固定部１２１・１２２に接着剤により固定している。透明部材１１６は、一つの平行する側縁を基板部材１１５の一側折曲げ部１１７・１１８に固定することで、他の平行する側縁に隙間１２３・１２４を形成し、基板部材１１５と透明部材１１６との間に収納部１２５を形成している。
【００２５】
保持具１０３は、図６に示すように、透明部材１１６の一つの平行する側縁の隙間１２３・１２４から被包装物１０２を挿入して基板部材１１５と透明部材１１６との間の収納部１２５に収納し、透明部材１１６の一つの平行する側縁が固定された一側折曲げ部１１７・１１８を透明部材１１６が配設された基板部材１１５の一側面に対して反対の他側面側に近づけるように折曲げ、透明部材１１６の他の平行する側縁が固定されていない他側折曲げ部１１９・１２０を透明部材１１６が配設された基板部材１１５の一側面側に立ち上がるように折曲げる。
【００２６】
保持具１０３は、一側折曲げ部１１７・１１８および他側折曲げ部１１９・１２０を折曲げた状態で蓋部１０８あるいは蓋部１０９を開けて包装箱１０１内に入れて、開いた蓋部１０８あるいは蓋部１０９を閉じると、一側折曲げ部１１７・１１８が底部１０４の内面に弾性当接するとともに一側折曲げ部１１７・１１８の復元力で他側折曲げ部１１９・１２０が上部１０５の内面に当接する。これにより、保持具１０３は、包装箱１０１内で動きを阻止され、基板部材１１５と透明部材１１６との間に保持した被包装物１０２が動かないように保持する。
【００２７】
このように、被包装物１０２の保持具１０３は、透明部材１１６の他の平行する側縁の隙間１２３・１２４から被包装物１０２を挿入して基板部材１１５と透明部材１１６との間に収納し、折曲げた一側折曲げ部１１７・１１８および他側折曲げ部１１９・１２０を包装箱１０１の内面に当接させ、基板部材１１５と透明部材１１６との間に保持した被包装物１０２が動かないように保持しているので、包装箱１０１内に梱包された被包装物１０２を安定して保持することができ、外部からの衝撃を緩和して被包装物１０２の損傷を防止することができ、包装箱１０１の開梱時に被包装物１０２の全面が見えるように保持することができる。また、保持具１０３は、基板部材１１５と透明部材１１６との間に被包装物１０２を収納して一側折曲げ部１１７・１１８および他側折曲げ部１１９・１２０を折り曲げる構造なので、形状を簡素化することができ、包装箱１０１内に簡単にセットすることができる。
【００２８】
図７・図８は、実施例２の変形例を示すものである。変形例の保持具３は、図７に示すように、透明部材１１６の他の平行する側縁を基板部材１１５の他の平行する側縁よりも若干長い略長四角箔形状に形成して基板部材１１５の一側面に配設し、透明部材１１６の他の平行する側縁を基板部材１１５の他側折曲げ部１１９・１２０の固定部１２６・１２７に接着剤により固定している。透明部材１１６は、他の平行する側縁を基板部材１１５の他側折曲げ部１１９・１２０に固定することで、一つの平行する側縁に隙間１２８・１２９を形成し、基板部材１１５と透明部材１１６との間に収納部１２５を形成している。
【００２９】
この保持具１０３は、図８に示すように、透明部材１１６の他の平行する側縁の隙間１２８・１２９から被包装物１０２を挿入して基板部材１１５と透明部材１１６との間に収納し、透明部材１１６の他の平行する側縁が固定された他側折曲げ部１１９・１２０を透明部材１１６が配設された基板部材１１５の一側面に対して反対の他側面側に近づけるように折曲げ、透明部材１１６の一つの平行する側縁が固定されていない一側折曲げ部１１７・１１８を透明部材１１６が配設された基板部材１１５の一側面側に立ち上がるように折曲げる。保持具１０３は、この状態で包装箱１０１に入れて開いた蓋部１０８あるいは蓋部１０９を閉じることで、包装箱１０１内で動きを阻止され、基板部材１１５と透明部材１１６との間に保持した被包装物１０２が動かないように保持することができ、また、形状を簡素化することができ、包装箱１０２内に簡単にセットすることができる。
【実施例３】
【００３０】
図９・図１０は、この考案の実施例３を示すものである。図１０において、２０１は包装箱、２０２は被包装物、２０３は保持具である。前記包装箱２０１は、略長四角板形状の底部２０４と上部２０５とを有し、底部２０４と上部２０５との一つの側縁どうしを略細長四角板形状の連結部２０６で連結している。底部２０４は、残りの３つの側縁をコ字状の底部側周壁２０７で囲んでいる。上部２０５は、残りの３つの側縁をコ字状の上部側周壁２０８で囲んでいる。底部側周壁２０７は、上部側周壁２０８が被さるように、上部側周壁２０８よりもわずかに小さく形成されている。連結部２０６の長手方向両端と底部側周壁２０７および上部側周壁２０８の各端とは、連絡部２０９・２１０で連絡されている。
【００３１】
前記被包装物２０２は、ＣＤやＤＶＤなどの略四角厚板形状を有している。被包装物２０２を保持する前記保持具２０３は、図９に示すように、被包装物２０２を載せる基板部材２１１と、被包装物２０２を押さえる透明部材２１２とからなる。基板部材２１１は、包装箱２０１の底部２０４と略同形で二つの平行する側縁を有する略長四角板形状に形成される。透明部材２１２は、基板部材２１１よりも若干長い二つの平行する側縁を有する略長四角箔形状に形成され、基板部材２１１の一側面に配設される。
【００３２】
前記基板部材２１１は、一つの平行する側縁に一側折曲げ部２１３・２１４を備えるとともに、他の平行する側縁に他側折曲げ部２１５・２１６を備えている。他側折曲げ部２１５・２１６には、それぞれ基板部材２１１側に突出する一対の他側突出部２１７・２１８を形成している。他側突出部２１７・２１８は、基板部材２１１に切込みを入れることで、基板部材２１１から切り出されて他側折曲げ部２１５・２１６に一体的に形成される。一側折曲げ部２１３・２１４の幅方向の高さＨ１は、他側突出部２１７・２１８の幅方向の高さＨ２と同じ高さ（Ｈ１＝Ｈ２）とする。また、他側突出部２１７・２１８を含む他側折曲げ部２１５・２１６の幅方向の高さＨ３は、包装箱２０１内に被包装物２０２が保持された保持具２０３を収容するために、図９に示すように、底部側周壁２０７の高さＨ４と同じ高さ（Ｈ３＝Ｈ４）とする。
【００３３】
前記透明部材２１２は、一つの平行する側縁を基板部材２１１の一側折曲げ部２１３・２１４および他側折曲げ部２１５・２１６のいずれか一方に固定している。実施例３においては、透明部材２１２の一つの平行する側縁を、基板部材２１１の一側折曲げ部２１３・２１４の固定部２１９・２２０に接着剤により固定している。透明部材２１２は、一つの平行する側縁を基板部材２１１の一側折曲げ部２１３・２１４に固定することで、他の平行する側縁に隙間２２１・２２２を形成し、基板部材２１１と透明部材２１２との間に収納部２２３を形成している。
【００３４】
保持具３は、図１０に示すように、透明部材２１２の一つの平行する側縁の隙間２２１・２２２から被包装物２０２を挿入して基板部材２１１と透明部材２１２との間の収納部２２３に収納し、透明部材２１２の一つの平行する側縁が固定された一側折曲げ部２１３・２１４を透明部材２１２が配設された基板部材２１１の一側面に対して反対の他側面側に立ち下がるように折曲げ、透明部材２１２の他の平行する側縁が固定されていない他側折曲げ部２１５・２１６を透明部材２１２が配設された基板部材２１１の一側面側に立ち上がるように折曲げることで他側突出部２１７・２１８を他側面側に立ち下げる。
【００３５】
保持具２０３は、一側折曲げ部２１３・２１４および他側折曲げ部２１５・２１６を折曲げた状態で包装箱２０１に入れて、底部１０４に上部１０５を被せて閉じると、一側折曲げ部２１３・２１４および他側突出部２１７・２１８の各下端が包装箱２０１の底部２０４の内面に当接し、他側折曲げ部２１５・２１６も各上端が包装箱２０１の上部２０５の内面に当接する。これにより、保持具２０３は、包装箱２０１内で動きを阻止され、基板部材２１１と透明部材２１２との間に保持した被包装物２０２が動かないように保持する。
【００３６】
このように、被包装物２０２の保持具２０３は、透明部材２１２の固定されない他の平行する側縁の隙間２２１・２２２から被包装物２０２を挿入して基板部材２１１と透明部材２１２との間に収納し、折曲げた一側折曲げ部２１３・２１４、他側折曲げ部２１５・２１６、他側突出部２１７・２１８を包装箱２０１の内面に当接させ、基板部材２１１と透明部材２１２との間に保持した被包装物２０２が動かないように保持しているので、包装箱２０１内に梱包された被包装物２を安定して保持することができ、外部からの衝撃を緩和して被包装物２０２の損傷を防止することができ、包装箱２０１の開梱時に被包装物２０２の全面が見えるように保持することができる。また、保持具２０３は、基板部材２１１と透明部材２１５との間に被包装物２０２を収納して一側折曲げ部２１３・２１４および他側折曲げ部２１５・２１６を折り曲げる構造なので、形状を簡素化することができ、包装箱２０１内に簡単にセットすることができる。
【００３７】
なお、この考案は、上述実施例に限定されることなく、種々応用改変が可能である。例えば、図１に示す保持具３において、基板部材１１や透明部材１２にスリットを形成することで柔軟度を高め、収納部２１に収納した被包装物２に作用する振動の吸収力を向上させることができる。また、図１に示す保持具３において、基板部材１１の中間に透明部材１２の中間を一つの平行する側縁と平行に固着することで収納部２１を分割し、複数の被包装物２を収納可能とすることができる。さらに、図１に示す保持具３において、基板部材１１の中間に一つの平行する側縁と平行に２つのスリットを形成し、この２つのスリットに透明部材１２の中間を潜らせて固定することで収納部２１を分割し、複数の被包装物２を収納可能とすることができる。
【産業上の利用可能性】
【００３８】
この考案の被包装物の保持具は、被包装物が動かないように安定して保持し、被包装物の損傷を防止し、被包装物の全面が見えるように保持することができるものであり、各種の商品の梱包に適用することができる。
【符号の説明】
【００３９】
１  包装箱
２  被包装物
３  保持具
４  底部
５  上部
６  連結部
７  底部側周壁
８  上部側周壁
９・１０  連絡部
１１  基板部材
１２  透明部材
１３・１４  一側折曲げ部
１５・１６  他側折曲げ部
１７・１８  固定部
１９・２０  隙間
２１  収納部
【図１】
0003167052.tif 000003
【図２】
0003167052.tif 000004
【図３】
0003167052.tif 000005
【図４】
0003167052.tif 000006
【図５】
0003167052.tif 000007
【図６】
0003167052.tif 000008
【図７】
0003167052.tif 000009
【図８】
0003167052.tif 000010
【図９】
0003167052.tif 000011
【図１０】
0003167052.tif 000012